(57)【要約】【課題】  無線通信システムにおけるスモールセル増強下のＴＴＩバンドリングの方法と装置を提供する。【解決手段】  無線通信システムにおけるスモールセル増強下のＴＴＩバンドリングの方法と装置が開示される。本方法は、第一ｅＮＢ(evolved  Node  B)により制御される第一セルにより供されるＵＥ  (User  Equipment)を備える。本方法は、また、ＵＥが第一ＲＲＣ(Radio  Resource  Control)メッセージを受信して、ＴＴＩバンドリングを設定する工程を含む。本方法は、さらに、ＵＥが第二ＲＲＣメッセージを受信して、第二ｅＮＢにより制御される第二セルをＵＥに加える工程を含み、第二セルはＰＵＳＣＨ(物理アップリンク共有チャネル)により設定される。このほか、本方法は、ＵＥが、第一セル上のアップリンク送信に、ＴＴＩバンドリングを適用し、且つ、第二セル上のアップリンク送信に、ＴＴＩバンドリングを適用しない工程を含む。【選択図】      図８
2014236511.tif 000002
【特許請求の範囲】
【請求項１】
無線通信システムにおけるＴＴＩバンドリングのための方法であって:
ユーザ装置（ＵＥ）が、第一ｅＮＢにより制御される第一セルに在圏し、前記ＵＥが、ＴＴＩバンドリングを設定するための第一無線リソース制御（ＲＲＣ)メッセージを受信する工程と、
前記ＵＥが、第二ｅＮＢにより制御される第二セルを前記ＵＥに加えるための第二ＲＲＣメッセージを受信する工程であって、前記第二セルは物理アップリンク共有チャネル（ＰＵＳＣＨ)により設定される、工程と、
前記ＵＥが、前記第一セルにおけるアップリンク送信に前記ＴＴＩバンドリングを適用するが、前記第二セルにおけるアップリンク送信には前記ＴＴＩバンドリングを適用しない工程と
を含む方法。
【請求項２】
前記ＴＴＩバンドリングが行われている間では、単一のトランスポートブロックが符号化され、複数の連続したＴＴＩで送信され、前記ＴＴＩバンドリングにおいて４個の連続したＴＴＩがある、請求項１に記載の方法。
【請求項３】
前記第二セルは、物理アップリンク制御チャネル（ＰＵＣＣＨ）により設定される、請求項１又は２に記載の方法。
【請求項４】
前記第二ＲＲＣメッセージは、前記第二セルに割り当てられる少なくとも一つの無線ベアラー(ＲＢ)を示す情報を含む、請求項１から３のうち何れか１項に記載の方法。
【請求項５】
前記ＵＥは、前記第二ＲＲＣメッセージより早期に又は遅れて前記第一ＲＲＣメッセージを受信する、請求項１から４のうち何れか１項に記載の方法。
【請求項６】
前記第一セルはプライマリサービングセル(PCell)であり、前記第二セルはセカンダリサービングセル(SCell)である、請求項１から５のうちの何れか１項に記載の方法。
【請求項７】
無線通信システムにおけるＴＴＩバンドリングのための方法であって:
第一ｅＮＢにより制御される第一セルにユーザ装置（ＵＥ）が在圏し、前記第一ｅＮＢが、ＴＴＩバンドリングを設定するために第一無線リソース制御（ＲＲＣ)メッセージを前記ＵＥに送信する工程と、
前記第一ｅＮＢが、第二ｅＮＢにより制御される第二セルを加えるための第二ＲＲＣメッセージを前記ＵＥに送信する工程であって、前記第二セルは物理アップリンク共有チャネル（ＰＵＳＣＨ)により設定される、工程と、
前記第一ｅＮＢが、前記第一セルではＴＴＩバンドリングにより、前記ＵＥからアップリンク送信を受信し、前記第二ｅＮＢが、前記第二セルではＴＴＩバンドリングを適用することなく、アップリンク送信を前記ＵＥから受信する工程と
を含む方法。
【請求項８】
前記ＴＴＩバンドリングが行われている間では、単一のトランスポートブロックが符号化され、複数の連続したＴＴＩで送信され、前記ＴＴＩバンドリングにおいて４個の連続したＴＴＩがある、請求項７に記載の方法。
【請求項９】
前記第二セルは、物理アップリンク制御チャネル（ＰＵＣＣＨ)により設定される、請求項７又は８に記載の方法。
【請求項１０】
前記第二ＲＲＣメッセージは、前記第二セルに割り当てられる少なくとも一つの無線ベアラー(ＲＢ)を示す情報を含む、請求項７から９のうちの何れか１項に記載の方法。
【請求項１１】
前記第一ＲＲＣメッセージは、前記第二ＲＲＣメッセージより早期に又は遅れて送信される、請求項７から１０のうちの何れか１項に記載の方法。
【請求項１２】
前記第一セルはプライマリサービングセル(PCell)であり、前記第二セルはセカンダリサービングセル(SCell)である、請求項７から１１のうちのいずれか１項に記載の方法。
【請求項１３】
無線通信システムにおいてＴＴＩバンドリングを行うための通信装置であって、ユーザ装置（ＵＥ）が、第一ｅＮＢにより制御される第一セルに在圏し、前記通信装置は:
制御回路;
前記制御回路に組み込まれているプロセッサ;
前記制御回路に組み込まれ、前記プロセッサに動作可能に結合されるメモリ;を備え、
前記プロセッサは前記メモリに保存されたプログラムコードを実行するように形成され、前記プログラムコードは、請求項１から６のうちの何れか１項に記載の方法を前記ＵＥに実行させ、ＴＴＩバンドリングを促す、通信装置。
【請求項１４】
無線通信システムにおいてＴＴＩバンドリングを行うための通信装置であって、ユーザ装置（ＵＥ)が、第一ｅＮＢにより制御される第一セルに在圏し、前記通信装置は:
制御回路;
前記制御回路に組み込まれているプロセッサ;
前記制御回路に組み込まれ、前記プロセッサに動作可能に結合されるメモリ;を備え、
前記プロセッサは前記メモリに保存されたプログラムコードを実行するように形成され、前記プログラムコードは、請求項７から１２のうちの何れか１項に記載の方法を前記第一ｅＮＢに実行させ、ＴＴＩバンドリングを促す、通信装置。
【発明の詳細な説明】
【技術分野】
【０００１】
本発明は、一般に無線通信ネットワークに関し、特に、無線通信システムにおけるスモールセル拡張機能とともにＴＴＩバンドリングを行うための方法及び装置等に関するものである。
【背景技術】
【０００２】
移動通信装置の大量の通信データの送受信に対する要求が急速に増加するにつれて、従来のモバイル音声通信ネットワークが、インターネットプロトコル(ＩＰ)データパケットと通信するネットワークに進化している。このようなＩＰデータパケット通信は、移動通信装置のユーザーに、ボイスオーバーＩＰ、マルチメディア、マルチキャスト、および、オンデマンド通信サービスを提供することができる。
【０００３】
現在標準化が進められている実施態様のネットワーク構造はエボルブドユニバーサル地上無線アクセスネットワーク(Ｅ−ＵＴＲＡＮ)である。Ｅ−ＵＴＲＡＮシステムは高いデータスループットを提供して、上述のボイスオーバーＩＰとマルチメディアサービスを実現する。Ｅ−ＵＴＲＡＮシステムの標準化作業は、現在、３ＧＰＰ標準化機構により実行されている。したがって、３ＧＰＰスタンダードの仕組みに対する変更が現在提出及び検討され、３ＧＰＰスタンダードを発展させ、最終的な合意を目指している。
【発明の概要】
【発明が解決しようとする課題】
【０００４】
本発明は、無線通信システムにおけるスモールセル増強下のＴＴＩバンドリングのための方法及び装置等を提供することを目的とする。
【課題を解決するための手段】
【０００５】
本願発明による無線通信システムにおけるスモールセル増強下のＴＴＩバンドリングのための方法及び/又は装置は特許請求の範囲に記載されている。第１の側面による方法は、第一ｅＮＢ(evolved  Node  B)により制御される第二セルにより供されるＵＥ(User  Equipment)を備える。本方法は、また、ＵＥが、第一ＲＲＣ(Radio  Resource  Control)メッセージを受信して、ＴＴＩバンドリングを設定する工程を含む。本方法は、さらに、ＵＥが、第二ＲＲＣメッセージを受信して、第二ｅＮＢにより制御される第二セルをＵＥに加える工程を含み、第二セルは、ＰＵＳＣＨ(物理アップリンク共有チャネル)により設定される。このほか、本方法は、ＵＥが、第一セル上のアップリンク送信に対し、ＴＴＩバンドリングを適用し、且つ、第二セル上のアップリンク送信に対し、ＴＴＩバンドリングを適用しない工程、を含む。
【発明の効果】
【０００６】
無線通信システムにおけるスモールセル増強下のＴＴＩバンドリングの方法と装置が提供される。
【図面の簡単な説明】
【０００７】
【図１】本発明の実施形態による無線通信システムを示す図である。
【図２】本発明の実施形態によるトランスミッタシステム(アクセスネットワークとしても知られる)とレシーバシステム(ユーザー装置、または、ＵＥとしても知られる)のブロック図である。
【図３】本発明の実施形態による通信システムの機能ブロック図である。
【図４】本発明の実施形態による図３のプログラムコードの機能ブロック図である。
【図５】ＰＤＣＰ(Packet  Data  Convergence  Protocol)分裂による従来のプロトコル構成を示す図である。
【図６】ＲＬＣ(Radio  Link  Control)分裂による従来のプロトコル構成を示す図である。
【図７】ＭＡＣ(Medium  Access  Control)分裂による従来のプロトコル構成を示す図である。
【図８】本発明の実施形態によるフローチャートである。
【図９】本発明の実施形態によるフローチャートである。
【発明を実施するための形態】
【０００８】
以下の実施態様の無線通信システムと装置が無線通信システムに用いられ、ブロードキャストサービスをサポートする。無線通信システムは、幅広く応用されて、各種通信、たとえば、音声、データ等を提供する。これらのシステムは、符号分割多重アクセス方式(ＣＤＭＡ)、時分割多重アクセス(ＴＤＭＡ)、直交周波数分割多元接続(ＯＦＤＭＡ)、3GPP  LTE  (Long  Term  Evolution)無線アクセス、3GPP  LTE-A  や  LTE-Advanced(Long  Term  Evolution  Advanced)、3GPP2  UMB  (Ultra  Mobile  Broadband)、WiMax、または、その他の変調技術に基づく。
【０００９】
特に、以下で説明される実施態様の無線通信システムは、１つ以上の基準をサポートするように設計され、たとえば、３ＧＰＰとして示される"3rd  Generation  Partnership  Project"と称される協会により提供される標準は、文献番号TS  36.321  V11.2.0,  “E-UTRA  MAC  プロトコル仕様  (Release  11)”;TS  36.331  V11.3.0、“E-UTRA  RRC  プロトコル仕様(Release  11)”;RP-122032、“Ｅ-ＵＴＲＡとＥ−ＵＴＲＡＮに適用するスモールセル増強の研究-物理層方面”;RP-122033、“Ｅ-ＵＴＲＡとＥ−ＵＴＲＡＮに適用するスモールセル増強の研究-高層方面”;および、R2-131831、“ベアラー分割オプションの討論”を含む。上述の標準と文献は本開示に組み込まれる。
【００１０】
図１は、本発明の実施態様によるマルチアクセス無線通信システムを示す図である。アクセスネットワーク１００(ＡＮ)は複数のアンテナ群を備え、アンテナ群１０４と１０６、別のアンテナ群１０８と１１０、さらに、別のアンテナ群１１２と１１４を有する。図１において、各アンテナ群に二個のアンテナだけが示されているが、さらに多くのアンテナが用いられてもよい。アクセス端子１１６(ＡＴ)がアンテナ１１２と１１４と通信し、アンテナ１１２と１１４は、送信リンク１２０により、情報をアクセス端子１１６に送信し、逆方向リンク１１８により、アクセス端子１１６から情報を受信する。アクセス端子(ＡＴ)１２２はアンテナ１０６と１０８と通信し、アンテナ１０６と１０８は、送信リンク１２６により、情報をアクセス端子(ＡＴ)１２２に送信し、逆方向リンク１２４により、アクセス端子(ＡＴ)１２２から情報を受信する。ＦＤＤシステムにおいて、通信リンク１１８、１２０、１２４、および、１２６は異なる周波数を通信に用いる。たとえば、送信リンク１２０は、逆方向リンク１１８により用いられるのと異なる周波数を使用する。
【００１１】
各群のアンテナ、および／または、設計される通信範囲は、通常、アクセスネットワークのセクター(sector)と称される。この実施態様において、アンテナ群は、それぞれ、アクセスネットワーク１００によりカバー又は被覆される範囲のセクター内で、アクセス端子と通信するように設計される。
【００１２】
送信リンク１２０と１２６による通信において、アクセスネットワーク１００の送信アンテナは、ビーム形成を用いて、異なるアクセス端子１１６と１２２に対し、送信リンクの信号対雑音比(signal-to-noise  ratio)を改善する。また、アクセスネットワークが、そのサービスエリアにより、ビーム形成を用いて、ランダムな散乱方式で、アクセス端子に送信されるのは、単一アンテナにより、アクセスネットワークが、そのアクセス端子すべてに送信されるのと比較して、隣接セル中のアクセス端子への干渉が小さい。
【００１３】
アクセスネットワーク(ＡＮ)は、端子との通信に用いられる固定局、または、基地局で、アクセスポイント、Node  B、基地局、強化型基地局、eNodeB、または、その他の用語とも称される。アクセス端子(ＡＴ)は、また、ユーザー装置(ＵＥ)、無線通信装置、端子、アクセス端子、または、その他の用語とも称される。
【００１４】
図２は、ＭＩＭＯシステム２００におけるトランスミッタシステム２１０  (アクセスネットワークとしても知られる)、および、レシーバシステム２５０(アクセス端子  (ＡＴ)、または、ユーザー装置(ＵＥ)としても知られる)の簡潔なブロック図である。トランスミッタシステム２１０で、データソース２１２は、各種データストリームのトラフィックデータを送信(ＴＸ)データプロセッサ２１４に提供する。
【００１５】
一態様において、各データストリームは、個別の送信アンテナにより送信される。ＴＸデータプロセッサ２１４は、そのデータストリームに対して選択される特定のコード体系に基づいて、各データストリームのトラフィックデータを、フォーマット、符号化、および、インターリーブして、符号化データを提供する。
【００１６】
各データストリームの符号化データは、ＯＦＤＭ技術を用いて、パイロットデータと多重化される。パイロットデータは、通常、既知の方式で処理されるデータパターンで、レシーバシステムで用いられて、チャネル応答を推定する。その後、各データストリーム多重化されたパイロットと符号化データは、そのデータストリームに選択される特定の変調スキーム(たとえば、BPSK、QPSK、M-PSK、または、M-QAM)に基づいて、変調され(すなわち、符号マップ)、変調符号を提供する。各データストリームのデータレート、符号化、および、変調は、プロセッサ２３０により実行される命令により決定される。
【００１７】
その後、全データストリームの変調符号がＴＸ  ＭＩＭＯプロセッサ２２０に提供され、ＴＸ  ＭＩＭＯプロセッサ２２０は、さらに、変調符号(たとえば、ＯＦＤＭに用いる)を処理する。その後、ＴＸ  ＭＩＭＯプロセッサ２２０は、NT変調符号ストリームを、NTトランスミッタ(ＴＭＴＲ)２２２a〜２２２tに送信する。ある実施態様において、ＴＸ  ＭＩＭＯプロセッサ２２０は、ビーム形成ウェイトをデータストリームの符号に加えると共に、アンテナに送信されて、送信を実行する。
【００１８】
各トランスミッタ２２２は、個々の符号ストリームを受信、および、処理すると共に、ひとつ以上のアナログ信号を提供し、さらに、アナログ信号を処理(たとえば、増幅、ろ過、および、アップコンバート)して、ＭＩＭＯチャネルにより送信するのに適する変調した信号を提供する。トランスミッタ２２２a〜２２２tからのNT変調信号は、その後、それぞれ、NTアンテナ２２４a〜２２４tから送信される。
【００１９】
レシーバシステム２５０中、送信された変調信号はNRアンテナ２５２a〜２５２rにより受信され、且つ、各アンテナ２５２から受信された信号が、それぞれのレシーバ(RCVR)２５４a〜２５４rに提供される。各レシーバ２５４は、個々の受信信号を調整(たとえば、ろ過、増幅、および、ダウンコンバート)し、調整済み信号をデジタル化し、サンプルを提供し、さらに、サンプルを処理して、対応する“受信済み”符号ストリームを提供する。
【００２０】
その後、ＲＸデータプロセッサ２６０は、特定のレシーバ処理技術に基づいて、NRレシーバ２５４からNR受信符号ストリームを受信、および、処理し、NT“検出済み”符号ストリームを提供する。その後、ＲＸデータプロセッサ２６０は、各検出された符号ストリームを復調、デインタリーブ、および、復号して、データストリームのトラフィックデータをリカバーする。ＲＸデータプロセッサ２６０による処理は、トランスミッタシステム２１０中のＴＸ  ＭＩＭＯプロセッサ２２０とＴＸデータプロセッサ２１４により実行される処理に補完的である。
【００２１】
プロセッサ２７０は、周期的に、どのプレコーディングマトリクスを使用するか決定する(以下で討論する)。プロセッサ２７０は、マトリクスインデックス部分とランク値部分を備える逆方向リンクメッセージを定める。
【００２２】
逆方向リンクメッセージは、通信リンク、および／または、受信したデータストリームに関連する各種情報を含む、その後、逆方向リンクメッセージはＴＸデータプロセッサ２３８により処理され、ＴＸデータプロセッサ２３８は、データソース２３６から、複数のデータストリームのトラフィックデータを受信し、変調器２８０により変調され、トランスミッタ２５４a〜２５４rにより調整され、トランスミッタシステム２１０に送り返される。
【００２３】
トランスミッタシステム２１０中、レシーバシステム２５０からの変調信号は、アンテナ２２４により受信され、レシーバ２２２により調整され、復調器２４０により復調され、ＲＸデータプロセッサ２４２により処理されて、レシーバシステム２５０により送信される逆方向メッセージを抽出する。その後、プロセッサ２３０は、どのプレコーディングマトリクスを用いるかを決定して、ビーム形成ウェイトを決定し、抽出されたメッセージを処理する。
【００２４】
図３は、本発明の実施態様による通信装置の別の簡潔な機能ブロック図である。図３に示されるように、無線通信システム中の通信装置３００が用いられて、図１のＵＥ(または、ＡＴ)１１６と１２２を実現し、無線通信システムは、好ましくは、ＬＴＥシステムである。通信装置３００は、入力装置３０２、出力装置３０４、制御回路３０６、中央処理ユニット(ＣＰＵ)３０８、メモリ３１０、プログラムコード３１２、および、トランシーバ３１４を備える。制御回路３０６は、ＣＰＵ３０８により、メモリ３１０中のプログラムコード３１２を実行し、これにより、通信装置３００の操作を制御する。通信装置３００は、入力装置３０２、たとえば、キーボードかキーパッドにより、ユーザーにより入力される信号を受信し、出力装置３０４、たとえば、モニターやスピーカーにより、イメージと音声を出力することができる。トランシーバ３１４が用いられて、無線信号を送受信し、受信した信号を制御回路３０６に送信し、制御回路３０６により生成された信号を無線方式で出力する。
【００２５】
図４は、本発明の実施態様による図３に示されるプログラムコード３１２の簡潔なブロック図である。この実施態様において、プログラムコード３１２は、応用層４００、第三層部分４０２、および、第二層部分４０４を備え、且つ、第一層部分４０６に結合される。第三層部分４０２は、通常、無線リソース制御を実行する。第二層部分４０４は、通常、リンク制御を実行する。第一層部分４０６は、通常、物理接続を実行する。
【００２６】
一般に、キャリアアグリゲーション(ＣＡ)は、LTE-Advanced(ＬＴＥ-Ａ)において、広いハンド幅をサポートする特徴である。その能力に基づいて、端子は、同時に、ひとつ、または、それ以上のコンポーネントキャリアで、送受信を実行する。
【００２７】
プライマリサービングセル(PCell)に加え、RRC_CONNECTEDモードのＵＥは、別のセカンダリサービングセル(SCell)を設定する。PCellは、常に起動していると認識され、同時に、ＭＡＣ制御要素(ＣＥ)の起動／解除が、SCellの起動と解除に用いられる(3GPP  TS  36.321  V11.2.0中で討論される)。SCellに対応するsCellDeactivationTimerは、また、SCell状態維持のために用いられる。たとえば、sCellDeactivationTimerが期限切れのとき、対応するSCellは、非明示的に、解除されたと認識する。3GPP  TS  36.331  V11.3.0で討論されるように、設定されたSCellは、ダウンリンク(ＤＬ)リソースだけ(たとえば、ＤＬＣＣ)、または、ＤＬリソースとアップリンク(ＵＬ)リソース(たとえば、ＤＬコンポーネントキャリア(ＣＣ)とＵＬＣＣ)を含む。
【００２８】
さらに、3GPP  RP-122032は、release-12の物理層方面のスモールセル増強に対する新しい研究項目である。3GPP  RP-122032は以下のような目的の研究項目に関連する:
４    目的
この研究の目的は、潜在的な強化方式を探し出し、スペクトル効率と有効なスモールセルデプロイメントと操作を改善し、TR36.932文件中のスモールセル増強に対して提供される要求を満たすと共に、対応するゲイン、標準化インパクトと複雑度を評価することである。
研究は以下の領域に注目する:
●TR36.932中で特定されるスモールセルデプロイメントとＵＥ移動性のチャネル特性、および、対応する評価方法論とメトリクスを定義する。
●スペクトル効率を改善する潜在的な強化方式を研究、すなわち、スモールセルデプロイメントの典型的なサービスエリア状況、および、典型的な端子設定を有するユーザースループットを達成し、潜在的な強化は、
○ダウンリンクに導入される高位の変調スキーム(たとえば、256QAM)。
○ＵＥ-特定参考信号の強化方式とオーバーヘッド減少、および、制御シグナリングは、現存のチャネルと信号に基づいて、ダウンリンクとアップリンク中、低ＵＥ移動性を有するスモールセルのチャネル特性に対し、時間、および／または、周波数上で、スケジューリングとフィードバックにうまく適合する。
●スモールセルクラスタで構成されるスモールセル層の効果的な操作を確保するメカニズムを研究する。これは以下を含む。
○干渉回避とスモールセル間の調整に用いるメカニズムで、スモールセルは、強化された干渉測定のトラフィックと需要を変化させ、スモールセル層中のマルチキャリアデプロイメント、および、スモールセルの動態オン/オフ切り換えに重点的に取り組む。
○スモールセルとそれらの設定の効果的発見に用いられるメカニズム。
●スモールセル増強高層方面の物理層研究と評価、特に、マクロとスモールセル層に対する移動度強化と二重接続性の優勢に関し、および、このような状況下で、このような強化は実現可能で、且つ、有益である。
研究は、別々の、および、同じ周波数層両方のスモールセルデプロイメントをマクロセルとして提出し、現存するメカニズム(たとえば、CoMP,FeICIC)を考慮する。
スモールセル層、および、スモールセルとマクロ層間の協調と時刻同期操作は、特定操作に用いられると仮定され、且つ、同期メカニズムに基づいた無線-インターフェースの実現可能性と優勢が提出される。
下位互換性、すなわち、スモールセルノード/キャリアにアクセスする古い(pre-R12)ＵＥの可能性が保証され(ＮＣＴを用いたスモールセルのために研究される特徴を除く)、および、古い(pre-Rel-12)ＵＥのスモールセル強化からの優勢を得る能力が考慮され、提出される異なる強化方式の評価が考慮される。非下位互換性特徴の導入は、十分な利得により正当性を証明されなければならない。
この研究項目は、Rel-12中の別の関連する研究/作業項目を考慮する。
【００２９】
このほか、3GPP  RP-122033は、Release-12の高層方面のスモールセル増強方式に対する新しい研究項目である。3GPP  RP-122033は、この研究項目の目的を記述し、以下のようである:
４    目的
この研究の目的は、プロトコルと構造中のスモールセルデプロイメントと操作の強化サポートの潜在技術を確認することで、スモールセルと操作は、TR  36.932で定義される状況と要求を満たさなければならない。
この研究は以下の態様で実施される:
●異なる、または、同じキャリアにより供されるマクロとスモールセル層に対する二重接続性を有するＵＥの利得を確認、および、評価し、且つ、どの状況下でも、このような二重接続性は、実現可能、且つ、有益である。
●TR  36.932中の状況において、特に、二重接続性の実現可能な状況に対し、潜在的機構とプロトコル増強方式を確認、および、評価し、且つ、実現可能な場合、コアネットワーク衝撃を最小化し、以下を含む:
○制御ユーザープレーンの全体構造と両者の間の相互関係、たとえば、異なるノードでのC-plane  と  U-planeのサポート、異なるプロトコル層の終了等。
●無線資源管理（Radio  Resource  Management）構造全体とスモールセルデプロイメントの移動度強化の必要性の確認と評価:
○ノード内ＵＥコンテキスト伝送とコアネットワークへのシグナリングを最小化する移動度メカニズム。
○測定とセル識別強化、同時に、増加するＵＥバッテリー消耗の最小化。
各潜在的な強化方式において、ゲイン、複雑度、および、規格衝撃が評価されなければならない。
この研究は、別のSI/WIに含まれない潜在的な強化方式に重点的に取り組む。
【００３０】
さらに、3GPP  R2-131831は、スモールセル増強に適用するベアラー分裂オプションを討論する。特に、3GPP  R2-131831は、各ベアラー分裂オプションの欠点を分析し、第一段階で、ベアラー分裂オプションがないことに注目することを提案する。
【００３１】
一般に、ＴＴＩ(Transmission  Time  Interval)バンドリングがRel-8に導入されて、セル端近くのＵＥに対し、アップリンクサービスエリアを強化する。ＴＴＩは送信時間間隔又は伝送時間間隔等と言及されてもよい。3GPP  TS  36.321  V11.2.0で討論されるように、ＵＥが、設定されたアップリンクを有するひとつ以上のSCellにより設定される時、ＴＴＩバンドリングはサポートされず、これは、同時ＴＴＩバンドリングと設定されたダウンリンクを有するSCellがサポートされることを意味する。最大ＵＥ電力制限のため、多くの人が、セル端に近いＵＥが、二本の平行な送信のアップリンクパフォーマンスを維持することは不可能であると考えるので、ＴＴＩバンドリング使用におけるこの制限が決定される。
【００３２】
マクロセルのセル端近くのＵＥに対し、スモールセルへのダウンリンクトラフィックオフロードがサポートされる場合、スモールセル上の、少なくともダウンリンク送信にフィードバックされるＨＡＲＱ(Hybrid  Automatic  Repeat  Request)に対するＰＵＣＣＨ(Physical  Downlink  Control  Channel)の設定に加え、更なる考慮が必要である。
【００３３】
ＵＥが、マクロセルのセル端近くに位置し、且つ、アップリンクサービスエリア強化のために、ＴＴＩバンドリングがこのＵＥに設定されると仮定すると、ＵＥはスモールセルのサービスエリアに進入する場合、マクロｅＮＢは、ダウンリンクトラフィックオフロードに対し、スモールセルをＵＥに加えることを決定する。このように、その後、ＵＥ中のサービス(たとえば、ストリーミングサービス)のダウンリンクトラフィックは、スモールセルにより送信される。
【００３４】
ダウンリンクデータに加え、ストリーミングサービスは、基本的に、応用層（アプリケーションレイヤ）のアップリンク制御情報も含んでいる。よって、スモールセルによるアップリンク送信が許可されない場合、ＴＴＩバンドリングがＵＥに設定されるとき、ストリーミングサービスをサポートするＲＢ(Radio  Bearer)は、アップリンクとダウンリンク(たとえば、マクロセルによるアップリンク送信、および、スモールセルによるダウンリンク送信)で分裂させる必要がある。分裂点に基づいて、３種のプロトコル構成が、図５、図６、および、図７に示されるＸ２インターフェースにより、マクロｅＮＢからスモールセルｅＮＢに転送されるデータを転送する。
【００３５】
ＰＤＣＰ  (Packet  Data  Convergence  Protocol)は、通常、保護機能の責任を負うので、図５に示されるＰＤＣＰ分裂は、スモールセルｅＮＢで、安全内容を維持する必要がある。スモールセル設備の保護は、マクロセル設備よりかなり弱いので、これが懸念される。このほか、ＵＬ  ＰＤＵ(Packet  Data  Unit)のために、ＵＥに伝送されるＲＬＣ(Radio  Link  Control)状態、および、ＤＬ  ＰＤＵのために、ＵＥから受信されるＲＬＣ状態は、Ｘ２-インターフェースにより、ＵＬ  ＲＬＣエンティティからＤＬ  ＲＬＣエンティティに転送される必要がある。これは、ネットワーク実現において、さらに複雑度を増加させる。
【００３６】
図６中でも、また、ＲＬＣ状態(ＲＬＣ  分裂)転送が必要とされ、また、帰路が理想的ではないため、ＤＬ  ＲＬＣ  ＰＤＵに用いるＲＬＣ再分割をサポートしないので、図３(ＭＡＣ分裂)は実現可能ではない。Ｓ１方式において(Ｓ-ＧＷからのＤＬデータが直接、Ｓ１インターフェースにより、スモールセルｅＮＢに送られる)、プロトコル構成毎の状況と議題も類似する。
【００３７】
上述の説明からわかるように、ＴＴＩバンドリングが設定される時、スモールセルによるＵＬ送信がサポートされる場合、プロトコル構成は実行しやすくなる。短距離の関係で、スモールセルへのアップリンク電力は低くないといけないので、ＵＥが、二本の平行な送信のアップリンクパフォーマンスを維持するのは、実現可能である。この状況において、ＵＥは、スモールセル上で、ＴＴＩバンドリングを適用する必要がない。一般に、ＵＥは、マクロセル上のアップリンク送信にＴＴＩバンドリングを適用し、且つ、スモールセル上のアップリンク送信に、ＴＴＩバンドリングを適用しない。一態様において、スモールセルは、ＰＵＳＣＨにより設定される。別の態様において、スモールセルは、ＰＵＣＣＨにより設定される。各種態様において、ＴＴＩバンドリングは、Ｍｓｇ３の送信に適用できない。
【００３８】
図８は、本発明の実施形態によるＵＥの観点からのフローチャート８００である。ステップ８０５において、ユーザ装置（ＵＥ：User  Equipment)は、第一エボルブドイーノードＢ（ｅＮＢ：evolved  Node  B)により制御される第二セルにより供される。ステップ８１０において、ＵＥは、第一無線リソース制御（ＲＲＣ：Radio  Resource  Control)メッセージを受信して、ＴＴＩバンドリングを設定する。ステップ８１５において、ＵＥは第二ＲＲＣメッセージを受信して、第二ｅＮＢにより制御される第二セルをＵＥに加え、第二セルは物理アップリンク共有チャネル（ＰＵＳＣＨ：Physical  uplink  Shared  Channel)により設定される。ステップ８２０において、ＵＥは、第一セル上のアップリンク送信に、ＴＴＩバンドリングを適用し、第二セル上のアップリンク送信に、ＴＴＩバンドリングを適用しない。
【００３９】
好ましい一態様において、ＴＴＩバンドリング中、単一の輸送ブロック（トランスポートブロック）が符号化され、複数の連続したＴＴＩで送信される。さらに、ＴＴＩバンドリング中、４個の連続したＴＴＩがある。このほか、ＴＴＩバンドリングは、Ｍｓｇ３の送信に適用できず、且つ、Ｍｓｇ３は、アップリンク共有チャネル（ＵＬ-ＳＣＨ：Uplink  Shared  Channel)上で送信されるメッセージで、ＵＬ-ＳＣＨは、上層から提供されるセル無線ネットワークテンポラリ識別子（C-RNTI：Cell  Radio  Network  Temporary  Identifier)媒体アクセス制御（ＭＡＣ：Medium  Access  Control)の制御要素、または、共通制御チャネル（ＣＣＣＨ：Common  Control  Channel)サービスデータユニット（ＳＤＵ：Service  Data  Unit)を含み、ランダムアクセス(ＲＡ)工程の一部となる。
【００４０】
上記の好ましい形態と組み合わせられても良い好ましい一態様において、第二セルは物理アップリンク制御チャネル（ＰＵＣＣＨ：Physical  Uplink  Control  Channel)により設定される。このほか、第二ＲＲＣメッセージは、第二セルに割り当てられる少なくともひとつの無線ベアラー(ＲＢ)を示す情報を含む。さらに、ＵＥは、第二ＲＲＣメッセージより早く、または、遅く、第一ＲＲＣメッセージを受信する。また、第二セルはプライマリサービングセル(PCell)、第二セルはセカンダリサービングセル  (SCell)である。
【００４１】
上記の好ましい形態及び/又は別の好ましい形態と組み合わせられても良い更なる好ましい一態様において、3GPP  TS  36.331  V11.3.0で規定されるように、第一、および／または、第二ＲＲＣメッセージはＲＲＣ再設定メッセージである。
【００４２】
図３と図４に戻ると、一態様において、装置３００は、メモリ３１０中に保存されるプログラムコード３１２を含み、無線通信システムにおけるスモールセル増強に用い、ＵＥは、第一ｅＮＢにより制御される第二セルにより供される。ＣＰＵ３０８はプログラムコード３１２を実行して、ＵＥが、(i)第一ＲＲＣメッセージを受信して、ＴＴＩバンドリングを設定、および、(ii)第二ＲＲＣメッセージを受信して、第二ｅＮＢにより制御される第二セルをＵＥに加えることができるようにし、第二セルはＰＵＳＣＨにより設定され、ＵＥは、第一セル上のアップリンク送信に、ＴＴＩバンドリングを適用し、および、第二セル上のアップリンク送信に、ＴＴＩバンドリングを適用しない。このほか、ＣＰＵ３０８は、プログラムコード３１２を実行して、上述の動作及びステップ（特に図８を参照しながら説明した動作及びステップ）または、その他すべてを実施する。
【００４３】
図９は、本発明の実施態様によるｅＮＢの観点からのフローチャート９００である。ステップ９０５において、第一ｅＮＢ(evolved  Node  B)により制御される第二セルはＵＥ  (User  Equipment)に供する。ステップ９１０において、第一ｅＮＢは、第一ＲＲＣ(Radio  Resource  Control)メッセージをＵＥに伝送して、ＴＴＩバンドリングを設定する。ステップ９１５において、第一ｅＮＢは、第二ＲＲＣメッセージをＵＥに伝送して、第二ｅＮＢにより制御される第二セルを加え、第二セルはＰＵＳＣＨ(Physical  uplink  Shared  Channel)により設定される。ステップ９２０において、第一ｅＮＢは、ＵＥから、第一セル上に適用されるＴＴＩバンドリングにより、アップリンク送信を受信し、第二ｅＮＢは、第二セルに適用されるＴＴＩバンドリングなしで、ＵＥから、アップリンク送信を受信する。
【００４４】
好ましい一態様において、ＴＴＩバンドリング中、単一の輸送ブロックが符号化され、複数の連続したＴＴＩで送信される。さらに、ＴＴＩバンドリング中、４個の連続したＴＴＩがある。このほか、ＴＴＩバンドリングは、Ｍｓｇ３の送信に適用できず、Ｍｓｇ３はＵＬ-ＳＣＨで送信されるメッセージで、ＵＬ-ＳＣＨは、上層から提供されるＣ-ＲＮＴＩ  ＭＡＣ制御要素、または、ＣＣＣＨ(Common  Control  Channel)ＳＤＵ(Service  Data  Unit)を含み、ランダムアクセス(ＲＡ)工程の一部となる。
【００４５】
上記の好ましい形態と組み合わせられても良い好ましい一態様において、第二セルがＰＵＣＣＨ(Physical  Uplink  Control  Channel)により設定される。このほか、第二ＲＲＣメッセージは、第二セルに割り当てられる少なくともひとつの無線ベアラー(ＲＢ)を示す情報を含む。さらに、第一ＲＲＣメッセージは、第二ＲＲＣメッセージより早く、または、遅く送信される。また、第一セルはプライマリサービングセル(PCell)、第二セルはセカンダリサービングセル(SCell)である。
【００４６】
上記の好ましい形態及び/又は別の好ましい形態と組み合わせられても良い更なる好ましい一態様において、3GPP  TS  36.331  V11.3.0で規定されるように、第一、および／または、第二ＲＲＣメッセージはＲＲＣ再設定メッセージである。
【００４７】
図３と図４に戻ると、一態様において、装置３００は、メモリ３１０に保存されるプログラムコード３１２を含み、無線通信システムにおけるＴＴＩバンドリングに用いられ、第一ｅＮＢにより制御される第二セルはＵＥに供する。ＣＰＵ３０８はプログラムコード３１２を実行して、第一ｅＮＢが、(i)第一ＲＲＣメッセージをＵＥに送信して、ＴＴＩバンドリングを設定する、および、(ii)第二ＲＲＣメッセージをＵＥに送信して、第二ｅＮＢにより制御される第二セルを加えることができるようにし、第二セルはＰＵＳＣＨにより設定され、第一ｅＮＢは、ＵＥから、第一セル上に適用されるＴＴＩバンドリングにより、アップリンク送信を受信し、第二ｅＮＢは、第二セルに適用されるＴＴＩバンドリングなしで、ＵＥから、アップリンク送信を受信する。このほか、ＣＰＵ３０８はプログラムコード３１２を実行して、上述の動作及びステップ（特に、図９を参照しながら説明した動作及びステップ）、または、記述されるその他のすべてを実施する。
【００４８】
本発明の各種態様が説明された。理解できることは、この教示が、多種多様な形式で具体化され、特定の構造、機能、または、両方が代表されているに過ぎないことである。当業者の教示に基づいて、理解できることは、開示される態様が、別の態様から独立して実施され、二個以上のこれらの実施態様が各種方法に組み込まれることである。たとえば、複数の態様を用いて、装置が実行される、または、方法が実践される。このほか、このような装置、または、方法は、ひとつ以上の態様以外に、別の構造、機能、または、構造と機能を用いて実現される。上述のコンセプトの例のように、幾つかの実施態様において、並列チャネルは、パルス繰り返し周波数に基づいて構築される。幾つかの実施態様において、並列チャネルは、パルス位置、または、オフセットに基づいて構築される。幾つかの実施態様において、並列チャネルは、時間ホッピングシーケンスに基づいて構築される。幾つかの実施態様において、並列チャネルは、パルス繰り返し周波数、パルス位置、または、オフセット、および、時間ホッピングシーケンスに基づいて構築される。
【００４９】
理解できることは、情報と信号は、各種異なる技術と技巧のいずれかを用いて示されることである。たとえば、上述の説明を通じて参照されるデータ、指令、命令、情報、信号、ビット、符号、および、チップは、電圧、電流、電磁波、磁界、または、粒界、光場、または、粒子、または、それらの組み合わせにより示される。
【００５０】
当業者ならさらに理解できるように、ここで開示される態様に関連して記述される各種態様によるロジカルブロック、モジュール、プロセッサ、手段、回路、アルゴリズムステップは、電子ハードウェア(たとえば、デジタル実現、アナログ実現、または、それらの組み合わせで、ソースコーディング、または、別の技術を用いて設計される)、指示を組み込んだ各種形式のプログラム、または、設計コード  (ここでは、便宜上、“ソフトウェア”または“ソフトウェアモジュール”と称する)、または、それらの組み合わせとして実施される。ハードウェアとソフトウェアの互換性をわかりやすく説明するため、各種態様によるコンポーネント、ブロック、モジュール、回路、および、ステップは、通常、それらの機能として記述されている。このような機能性は、システム全体に与えられる特定のアプリケーションとデザイン制限に基づいて、ハードウェア、または、ソフトウェアとして実施される。当業者は、各特定のアプリケーションに対し、各種方式で、記述される機能を実施するが、このような実施方式の決定は、本発明の精神と逸脱しない。
【００５１】
このほか、ここで開示される態様に関連して記述される各種態様によるロジカルブロック、モジュール、および、回路は、集積回路(“IC”)により実行される、または、アクセス端子、または、アクセスポイントにより実施される。ＩＣは、汎用のプロセッサ、デジタル信号プロセッサ(ＤＳＰ)、特定用途向け集積回路(ＡＳＩＣ)、フィールドプログラマブルゲートアレイ(ＦＰＧＡ)、または、別のプログラム可能論理回路、離散ゲート、または、トランジスタロジック、離散ハードウェアコンポーネント、電気部品、光学部品、光学部品、機械的部品、または、記述される機能を実行するように設計されるそれらの組み合わせを含み、ＩＣ内、ＩＣ外、または、両方に存在するコード、または、指令を実行する。汎用のプロセッサはマイクロプロセッサであるが、別の可能性として、プロセッサは、従来のプロセッサ、コントローラー、マイクロコントローラー、または、状況機械である。プロセッサは、また、計算装置の組み合わせ、たとえば、ＤＳＰとミクロプロセッサ、複数のミクロプロセッサ、ひとつ以上のミクロプロセッサ、および、ＤＳＰコア、または、このような別の設定の組み合わせとして実施される。
【００５２】
理解できることは、開示されるプロセス中のステップの特定順序や序列は、サンプルアプローチの例であることである。デザイン嗜好に基づいて、理解できることは、プロセス中のステップの特定順序や序列が再アレンジされ、本発明の精神と領域を脱しないことである。付属の方法は、サンプル順序で、各種ステップの要素を示すことを主張し、特定順序や序列に制限されることを意味するものではない。
【００５３】
ここで開示される態様に関連して記述される方法、または、演算のステップは、ハードウェア中、プロセッサにより実施されるソフトウェアモジュール中、または、それらの組み合わせ中で、直接、具体化される。ソフトウェアモジュール(たとえば、実行可能な命令と関連するデータを含む)と別のデータは、データメモリ、たとえば、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ-ＲＯＭ、または、従来の技術の別の形式のコンピュータ読み取り可能ストレージ媒体中に存在する。サンプルストレージ媒体は、機械、たとえば、コンピュータ/プロセッサ(便宜のため、“プロセッサ”とする)に結合され、プロセッサは、ストレージ媒体から情報(たとえば、コード)を読み取ったり、情報を書き込んだりすることができる。サンプルストレージ媒体はプロセッサに整合される。プロセッサとストレージ媒体はＡＳＩＣ中に存在する。ＡＳＩＣはユーザー装置中に存在する。別の可能性では、プロセッサとストレージ媒体は、ユーザー装置中で、離散コンポーネントとして存在する。さらに、幾つかの実施態様において、適当なコンピュータプログラム製品は、ひとつ、または、それ以上の本発明の態様に関連するコードを含むコンピュータ読み取り可能媒体を備える。ある実施態様において、コンピュータプログラム製品はパッケージ材料を含む。
【００５４】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【符号の説明】
【００５５】
100  アクセスネットワーク
104、106、…、112  アンテナ群
116、122  アクセス端子
118、120、…、126  送信リンク
212  データソース
214  TXデータプロセッサ
220  TX  MIMOプロセッサ
230  プロセッサ
232  メモリ
242  RXデータプロセッサ
240  復調器
260  RXデータプロセッサ
272  メモリ
270  プロセッサ
280  変調器
238  TXデータプロセッサ
236  データソース
302  入力装置
304  出力装置
306  制御回路
308  CPU
310  メモリ
312  プログラムコード
314  トランシーバ
400  アプリケーション層
402  第3層
404  第2層
406  第1層
500、600、700  システム
【図１】
2014236511.tif 000003
【図２】
2014236511.tif 000004
【図３】
2014236511.tif 000005
【図４】
2014236511.tif 000006
【図５】
2014236511.tif 000007
【図６】
2014236511.tif 000008
【図７】
2014236511.tif 000009
【図８】
2014236511.tif 000010
【図９】
2014236511.tif 000011
【外国語明細書】
2014236511000001.pdf